(57)【要約】
【課題】蝶番式ドアと敷居との間を緊密に封鎖し、強い雨風が室内に浸入するのを遮るドアの敷居構造を提供する。      
【解決手段】敷居１０の雨避け板３０は、防湿性を備えており、蝶番ドア６０底部より高さの高い敷居台２０によって、蝶番式ドア６０を締めた時、本考案の一実施例の敷居１０が室内７０に対する風雨避けの防水壁となり、この時蝶番式ドア６０と敷居１０の軟質嵌着条５０とによって緊密な接触が形成され、蝶番式ドア６０底部と室内７０との間の隙間を塞ぐ二重構造を形成する。
【選択図】図１  
0003100755.tif 000002
【実用新案登録請求の範囲】
【請求項１】
敷居台及び雨避け板を相互に嵌合して組み立てるドアの敷居構造において、
縦長形状で上向きに突起した凸部本体、この凸部本体の側面下半部に繋ぎ合わせる前側板、及び同じく凸本体別側側面下半部に繋ぎ合わせる後側板を備え、前記凸部本体と前側板の接合箇所に掛合槽が成形され、また前側板は傾斜した板体で、その前段底部の厚み部分が削られて掛合槽が成形されている敷居台と、
少なくとも蓋板及び象嵌板から構成され、この蓋板は傾斜した板体であり、高い方の端部は上に向かって逆鉤凸部が成形され、また前記象嵌板はＬ字型の板体であり、その垂直板面は前記蓋板の前段底部に連接し、水平板面の前縁は上に向かって逆鉤凸部が成形されている雨避け板と、
を備えていることを特徴とするドアの敷居構造。
【請求項２】
前記雨避け板は掛合板を含み、この掛合板は直立板面で、雨避け板の蓋板面上に連接し、更に直立面は湾曲した嵌合部を備え、且つその嵌合部には差込槽が成形されていることを特徴とする請求項１記載のドアの敷居構造。
【請求項３】
軟質嵌着条を含み、この軟質嵌着条の差込部を、雨避け板の嵌合部差込槽に嵌合することを特徴とする請求項１に記載のドアの敷居構造。
【考案の詳細な説明】
【技術分野】
【０００１】
本考案は、ドアの敷居構造に係り、風雨の室内への浸入を有効に防止できるドアの敷居構造に関する。
【背景技術】
【０００２】
公知の蝶番式ドアは、ドアを閉めた時、この蝶番式ドアの底端と敷居との間に通常隙間ができるように形成されている。そのため、台風等で雨が降り風が強いと、雨水及び風が家の中に入り込み易いという問題があった。
【０００３】
前記雨水及び風の浸入防止のための改善策としては、ドア敷居の構造を改良したものがあり、例として敷居上に防水板もしくは雨避け板等を設置したものがある。しかしながら、この敷居の構造であっても、蝶番式ドアの底端と敷居との間にはやはり隙間が存在するため、前記欠点はいぜんとして改善されていない。
【考案の開示】
【考案が解決しようとする課題】
【０００４】
解決しようとする問題点は、蝶番式ドアと敷居との間に存在する隙間のために、風避け、雨水避けを充分に達成されていない点である。
【課題を解決するための手段】
【０００５】
本考案のドアの敷居構造は、敷居台及び雨避け板を相互に嵌合して組み立てるものであって、
縦長形状で上向きに突起した凸部本体、この凸部本体の側面下半部に繋ぎ合わせる前側板、及び同じく凸本体別側側面下半部に繋ぎ合わせる後側板を備え、前記凸部本体と前側板の接合箇所に掛合槽が成形され、また前側板は傾斜した板体で、その前段底部の厚み部分が削られて掛合槽が成形されている敷居台と、
少なくとも蓋板及び象嵌板から構成され、この蓋板は傾斜した板体であり、高い方の端部は上に向かって逆鉤凸部が成形され、また前記象嵌板はＬ字型の板体であり、その垂直板面は前記蓋板の前段底部に連接し、水平板面の前縁は上に向かって逆鉤凸部が成形されている雨避け板と
を備えていることを特徴とする。  
【考案の効果】
【０００６】
本考案のドアの敷居構造は、蝶番式ドアと敷居との間を緊密に封鎖し、台風など強い風雨時であっても、風、雨水が室内に浸入することを遮ることができる利点がある。
【考案を実施するための最良の形態】
【０００７】
図１から図４に示すとおり、本考案の一実施例の敷居１０は、敷居台２０及び雨避け板３０から構成され、若しくは更に軟質嵌着条５０を有し、如何なる止め部品も必要とせずに嵌合方式で組み立てることが可能になっている。
【０００８】
前記敷居台２０は、熱塑性発泡材質(Thermoplastic Form Material)若しくは熱塑性不発泡材質(Thermoplastic Material)を押出成型によって一体成型して形成されている。この敷居台２０の断面構造は凸形状に形成されて、上向きに突出した凸部本体２１、及びこの凸部本体２１の前後両側下半部に一体に繋ぎ合わせた前側板２２と後側板２３とを備えている。前記前側板２２を接合した凸部本体２１のフロント側面には、凹状の槽溝２６及び掛合機能を備えた掛合槽２７が形成されている。
【０００９】
前記敷居台２０の前側板２２は、前傾斜した板体であり、その前段底部には厚み部分を削り取るか、又は陥没させ、その陥没した底部に掛合するための掛合槽２４が形成されている。この掛合槽２４の内部前端には、掛合箇所となる楔形凸部５が成形されている。
【００１０】
雨避け板３０は、アルミ合金若しくは熱塑性材質を押出成型によって成形され、蓋板３１、象嵌板３２及び掛合板３３から構成され、防湿効果を備えている。
【００１１】
前記雨避け板３０の蓋板は、前傾斜した板体で、傾斜角度は上述の敷居台２０の前側板２２に対応している。前記蓋板３１は、高さが高くなる後端部に上向きで掛合機能を具えた逆鉤凸部３４が成形されている。この雨避け板３０と上述の敷居台２０とを相互に掛合するには、蓋板３１を敷居台２０の前側板２２上面に被せると共に、前記蓋板３１の逆鉤凸３４を敷居台２０の掛合槽２７内部に挿入して掛合させる。これによって、防水性を備えた雨避け板３０は、敷居台２０の前側板の上面を被覆して敷居２０が湿気を受けるのを防止し、水の浸入を遮断することができるようになっている。
【００１２】
前記雨避け板３０の象嵌板３２は、Ｌ字型の板体に形成されており、垂直面が蓋板３１の前段底部に連接し、水平面の前縁が上向きに湾曲して段を形成して掛合のための逆鉤凸部３５を形成している。この雨避け板３０と上述の敷居台２０とを相互に掛合するには、蓋板３１と象嵌板３２との間が敷居台２０の前側板２２の前段を挿入配置する空間となり、前記象嵌板３２の逆鉤凸部３５を前側板２２の掛合槽２４内部に掛合し、前側板２２の楔形凸部２５と象嵌板３２の逆鉤凸部３２とを掛合することによって固定される。
【００１３】
前記雨避け板３０の掛合板３３は、平面板に成形されており、前記蓋板３１の板面及び湾曲した嵌合部３６に連接している。更に、この嵌合部３６は、湾曲形成されて差込槽３７を形成している。この雨避け板３０と上述の敷居台２０とを相互に嵌合するには、前記掛合板３３の嵌合部３６を、敷居台２０の凸部本体２１の槽溝２６内部に嵌め込み、同時に嵌合部３６上の差込槽３７に軟質嵌着条５０の差込部５１を嵌め込む。これによって、図４に示すとおり、蝶番ドア６０閉められた状態の時、この蝶番ドア６０は、敷居１０の軟質嵌着条５０と緊密に接する。
【００１４】
上述の構成によって、如何なる止め部品をも必要とせずに、敷居台２０及び雨避け板３０の各凹凸構造を嵌合させ、本実施例の敷居１０を完成させることができる。
【００１５】
図１から図４に示すとおり、本考案の一実施例の敷居１０は、その左右両側の枠１５、及び横枠が敷居１０の真上の上枠（図示せず）で直立してドア枠を構成する。このドア枠は、家の壁を設置した後、蝶番式ドア６０を設置し、室内７０と室外８０とを区分し、蝶番式ドア６０を開ける方法で、室内７０から室外８０に向かって蝶番式ドア６０を押し開けるか、もしくは室外８０から蝶番式ドア６０を引いて開くようになっている。
【００１６】
敷居１０の雨避け板３０は、防湿性を備えており、蝶番ドア６０底部より高さの高い敷居台２０によって、蝶番式ドア６０を締めた時、本考案の一実施例の敷居１０が室内７０に対する風雨避けの防水壁となり、この時蝶番式ドア６０と敷居１０の軟質嵌着条５０とによって緊密な接触が形成され、蝶番式ドア６０底部と室内７０との間の隙間を塞ぐ二重構造を形成する。このため、台風の雨風であっても、本実施例の敷居１０が風を避け、雨水が浸入するのを防止する。
【産業上の利用可能性】
【００１７】
敷居が室内に対する風雨避けの防水壁となり、この時蝶番式ドアと敷居の軟質嵌着条とによって緊密な接触が形成され、蝶番式ドア底部と室内との間の隙間を塞ぐ二重構造を形成して、強い風雨時に風雨の浸入を防止できる家屋の玄関に適用できる。
【図面の簡単な説明】
【００１８】
【図１】本考案の一実施例の敷居構造を示す斜視図である。
【図２】本考案の一実施例の敷居構造である敷居台、雨避け板及び軟質嵌着条を示す分解斜視図である。
【図３】図２に示した敷居台、雨避け板及び軟質嵌着条を相互に嵌合した状態を示す斜視図である。
【図４】本考案の一実施例の組み立て例を示す断面説明図である。
【符号の説明】
【００１９】
１０        敷居
１５        枠
２０        敷居台
２１        凸部本体
２２        前側板
２３        後側板
２４        掛合槽
２５        楔形凸部
２６        槽溝
２７        掛合槽
３０        雨避け板
３１        蓋板
３２        象嵌板
３３        掛合板
３４        逆鉤凸部
３５        逆鉤凸部
３６        嵌合部
３７        差込槽
５０        軟質嵌着条
５１        差込部
６０        蝶番式ドア
７０        室内
８０        室外
代理人  弁理士    伊藤  進
【図１】
0003100755.tif 000003
【図２】
0003100755.tif 000004
【図３】
0003100755.tif 000005
【図４】
0003100755.tif 000006